【手続補正書】
【提出日】平成18年2月2日(2006.2.2)
【手続補正１】
【補正対象書類名】明細書
【補正対象項目名】特許請求の範囲
【補正方法】変更
【補正の内容】
【特許請求の範囲】
【請求項１】
紙葉類を所定の方向に搬送するために第１の方向に回転する送りローラと、
この送りローラを回転させる第１の駆動手段と、
前記送りローラの外周面と接触され、前記送りローラの回転にともなって上記第１の方向と逆の第２の方向に回転される分離ローラと、
この分離ローラに対して第１の方向の回転トルクを付与する第２の駆動手段と、
前記送りローラと前記分離ローラとが接する搬送領域に案内される上記紙葉類の枚数を検知する枚数検知手段と、
前記枚数検知手段の検知結果に基づいて前記第１の駆動手段が前記送りローラを回転する回転数を増減制御する分離制御手段と、
を有することを特徴とする紙葉類分離装置。
【請求項２】
前記分離制御手段は、前記枚数検知手段による検知の結果、所定枚数よりも多い場合には前記回転数を減少させるよう制御することを特徴とする請求項１記載の紙葉類分離装置。
【請求項３】
紙葉類を所定の方向にトルク搬送するために第１の方向に回転する送りローラと、
この送りローラを回転させる第１の駆動手段と、
前記送りローラの外周面と接触され、前記送りローラの回転にともなって上記第１の方向と逆の第２の方向に回転される分離ローラと、
この分離ローラに対して上記第１の方向の回転トルクを付与する第２の駆動手段と、
前記送りローラと前記分離ローラとに付与されるピンチ圧を変化するピンチ圧変更手段と、
前記送りローラと前記分離ローラとが接する搬送領域に案内される上記紙葉類の枚数を検知する枚数検知手段と、
前記枚数検知手段の検知結果に基づいて前記ピンチ圧変更手段による前記ピンチ圧および前記第２の駆動手段による前記回転トルクの少なくとも一つを増減制御する分離制御手段と、
を有することを特徴とする紙葉類分離装置。
【請求項４】
紙葉類を所定の方向にトルク搬送するために第１の方向に回転する送りローラと、
この送りローラを回転させる第１の駆動手段と、
前記送りローラの外周面と接触され、前記送りローラの回転にともなって上記第１の方向と逆の第２の方向に回転される分離ローラと、
この分離ローラに対して上記第１の方向の回転トルクを付与する第２の駆動手段と、
前記送りローラと前記分離ローラとに付与されるピンチ圧を変化するピンチ圧変更手段と、
前記分離ローラおよび前記送りローラの少なくとも一方の近傍に設けられ、両ローラの近傍の温度を検知する温度検知手段と、
前記温度検知手段が検知した温度に基づいて前記ピンチ圧変更手段による前記ピンチ圧および前記第２の駆動手段による前記回転トルクの少なくとも一つを増減制御する分離制御手段と、
を有することを特徴とする紙葉類分離装置。
【請求項５】
紙葉類を所定の方向にトルク搬送するために第１の方向に回転する送りローラと、
この送りローラを回転させる第１の駆動手段と、
前記送りローラの外周面と接触され、前記送りローラの回転にともなって上記第１の方向と逆の第２の方向に回転される分離ローラと、
この分離ローラに対して上記第１の方向の回転トルクを付与する第２の駆動手段と、
前記送りローラと前記分離ローラとに付与されるピンチ圧を変化するピンチ圧変更手段と、
前記分離ローラおよび前記送りローラの少なくとも一方の近傍に設けられ、両ローラの近傍の湿度を検知する湿度検知手段と、
前記湿度検知手段が検知した湿度に基づいて前記ピンチ圧変更手段により前記ピンチ圧および前記第２の駆動手段による前記回転トルクの少なくとも一つを増減制御する分離制御手段と、
を有することを特徴とする紙葉類分離装置。
【請求項６】
紙葉類を所定の方向にトルク搬送するために第１の方向に回転する送りローラと、
この送りローラを回転させる第１の駆動手段と、
前記送りローラの外周面と接触され、前記送りローラの回転にともなって上記第１の方向と逆の第２の方向に回転される分離ローラと、
この分離ローラに対して上記第１の方向の回転トルクを付与する第２の駆動手段と、
前記送りローラと前記分離ローラとに付与されるピンチ圧を変化するピンチ圧変更手段と、
前記分離ローラおよび前記送りローラの少なくとも一方の近傍に設けられ、両ローラの近傍の温度を検知する温度検知手段と、
前記分離ローラおよび前記送りローラの少なくとも一方の近傍に設けられ、両ローラの近傍の湿度を検知する湿度検知手段と、
前記温度検知手段および前記湿度検知手段のそれぞれが検知した温度および湿度に基づいて前記ピンチ圧変更手段による前記ピンチ圧および前記第２の駆動手段による前記回転トルクの少なくとも一つを増減制御する分離制御手段と、
を有することを特徴とする紙葉類分離装置。
【請求項７】
紙葉類を所定の方向に搬送するために第１の方向に回転する送りローラと、
この送りローラを回転させる第１の駆動手段と、
前記送りローラの外周面と接触され、前記送りローラの回転にともなって上記第１の方向と逆の第２の方向に回転される分離ローラと、
この分離ローラに対して上記第１の方向の回転トルクを付与する第２の駆動手段と、
前記送りローラと前記分離ローラとが接する搬送領域に案内される上記紙葉類の枚数を検知する枚数検知手段と、
この枚数検知手段の検知結果に基づいて前記送りローラによる搬送速度を増減制御する分離制御手段と、
を有することを特徴とする紙葉類分離装置。
【請求項８】
前記分離制御手段は、前記枚数検知手段による検知の結果、枚数が多いほど前記送りローラによる搬送速度を遅くするよう制御することを特徴とする請求項７記載の紙葉類分離装置。
【手続補正２】
【補正対象書類名】明細書
【補正対象項目名】００１３
【補正方法】変更
【補正の内容】
【００１３】
【課題を解決するための手段】
この発明は、上記問題点に基づきなされたもので、紙葉類を所定の方向に搬送するために第１の方向に回転する送りローラと、この送りローラを回転させる第１の駆動手段と、前記送りローラの外周面と接触され、前記送りローラの回転にともなって上記第１の方向と逆の第２の方向に回転される分離ローラと、この分離ローラに対して第１の方向の回転トルクを付与する第２の駆動手段と、前記送りローラと前記分離ローラとが接する搬送領域に案内される上記紙葉類の枚数を検知する枚数検知手段と、前記枚数検知手段の検知結果に基づいて前記第１の駆動手段が前記送りローラを回転する回転数を増減制御する分離制御手段と、を有することを特徴とする紙葉類分離装置を提供するものである。
【手続補正３】
【補正対象書類名】明細書
【補正対象項目名】００１４
【補正方法】変更
【補正の内容】
【００１４】
また、この発明は、紙葉類を所定の方向にトルク搬送するために第１の方向に回転する送りローラと、この送りローラを回転させる第１の駆動手段と、前記送りローラの外周面と接触され、前記送りローラの回転にともなって上記第１の方向と逆の第２の方向に回転される分離ローラと、この分離ローラに対して上記第１の方向の回転トルクを付与する第２の駆動手段と、前記送りローラと前記分離ローラとに付与されるピンチ圧を変化するピンチ圧変更手段と、前記送りローラと前記分離ローラとが接する搬送領域に案内される上記紙葉類の枚数を検知する枚数検知手段と、前記枚数検知手段の検知結果に基づいて前記ピンチ圧変更手段による前記ピンチ圧および前記第２の駆動手段による前記回転トルクの少なくとも一つを増減制御する分離制御手段と、を有することを特徴とする紙葉類分離装置を提供するものである。
【手続補正４】
【補正対象書類名】明細書
【補正対象項目名】００１５
【補正方法】変更
【補正の内容】
【００１５】
さらに、この発明は、紙葉類を所定の方向にトルク搬送するために第１の方向に回転する送りローラと、この送りローラを回転させる第１の駆動手段と、前記送りローラの外周面と接触され、前記送りローラの回転にともなって上記第１の方向と逆の第２の方向に回転される分離ローラと、この分離ローラに対して上記第１の方向の回転トルクを付与する第２の駆動手段と、前記送りローラと前記分離ローラとに付与されるピンチ圧を変化するピンチ圧変更手段と、前記分離ローラおよび前記送りローラの少なくとも一方の近傍に設けられ、両ローラの近傍の温度を検知する温度検知手段と、前記温度検知手段が検知した温度に基づいて前記ピンチ圧変更手段による前記ピンチ圧および前記第２の駆動手段による前記回転トルクの少なくとも一つを増減制御する分離制御手段と、を有することを特徴とする紙葉類分離装置を提供するものである。
【手続補正５】
【補正対象書類名】明細書
【補正対象項目名】００１６
【補正方法】変更
【補正の内容】
【００１６】
またさらに、この発明は、紙葉類を所定の方向にトルク搬送するために第１の方向に回転する送りローラと、この送りローラを回転させる第１の駆動手段と、前記送りローラの外周面と接触され、前記送りローラの回転にともなって上記第１の方向と逆の第２の方向に回転される分離ローラと、この分離ローラに対して上記第１の方向の回転トルクを付与する第２の駆動手段と、前記送りローラと前記分離ローラとに付与されるピンチ圧を変化するピンチ圧変更手段と、前記分離ローラおよび前記送りローラの少なくとも一方の近傍に設けられ、両ローラの近傍の湿度を検知する湿度検知手段と、前記湿度検知手段が検知した湿度に基づいて前記ピンチ圧変更手段により前記ピンチ圧および前記第２の駆動手段による前記回転トルクの少なくとも一つを増減制御する分離制御手段と、を有することを特徴とする紙葉類分離装置を提供するものである。
【手続補正６】
【補正対象書類名】明細書
【補正対象項目名】００１７
【補正方法】変更
【補正の内容】
【００１７】
さらにまた、この発明は、紙葉類を所定の方向にトルク搬送するために第１の方向に回転する送りローラと、この送りローラを回転させる第１の駆動手段と、前記送りローラの外周面と接触され、前記送りローラの回転にともなって上記第１の方向と逆の第２の方向に回転される分離ローラと、この分離ローラに対して上記第１の方向の回転トルクを付与する第２の駆動手段と、前記送りローラと前記分離ローラとに付与されるピンチ圧を変化するピンチ圧変更手段と、前記分離ローラおよび前記送りローラの少なくとも一方の近傍に設けられ、両ローラの近傍の温度を検知する温度検知手段と、前記分離ローラおよび前記送りローラの少なくとも一方の近傍に設けられ、両ローラの近傍の湿度を検知する湿度検知手段と、前記温度検知手段および前記湿度検知手段のそれぞれが検知した温度および湿度に基づいて前記ピンチ圧変更手段による前記ピンチ圧および前記第２の駆動手段による前記回転トルクの少なくとも一つを増減制御する分離制御手段と、を有することを特徴とする紙葉類分離装置を提供するものである。
【手続補正７】
【補正対象書類名】明細書
【補正対象項目名】００１８
【補正方法】変更
【補正の内容】
【００１８】
またさらに、この発明は、紙葉類を所定の方向に搬送するために第１の方向に回転する送りローラと、この送りローラを回転させる第１の駆動手段と、前記送りローラの外周面と接触され、前記送りローラの回転にともなって上記第１の方向と逆の第２の方向に回転される分離ローラと、この分離ローラに対して上記第１の方向の回転トルクを付与する第２の駆動手段と、前記送りローラと前記分離ローラとが接する搬送領域に案内される上記紙葉類の枚数を検知する枚数検知手段と、この枚数検知手段の検知結果に基づいて前記送りローラによる搬送速度を増減制御する分離制御手段と、を有することを特徴とする紙葉類分離装置を提供するものである。